(57)【要約】      （修正有）【課題】ホイップアンテナのセット取付け部であるホルダーにバネ機能を付加し、且つバネと一体化することにより、別部品であったホルダーバネを削除したホルダーを提供する。【解決手段】ホイップアンテナは、携帯用電気機器に備えられるアンテナであり、ワイヤを被覆する樹脂パイプで形成されたアンテナ本体の先端部に設けた第一のスリーブと、前記アンテナ本体の基部に設けた第二のスリーブとを備えたアンテナを、前記携帯用電気機器の筐体に固定されているホルダーに係合させ、引き出したときは前記第二のスリーブが前記ホルダーに保持され、収納したときは前記第一のスリーブが前記ホルダーに保持される構造のホイップアンテナであって、前記ホルダーは、金属性板部材に切欠いて形成された舌片状の接触片を備え、該金属性板部材を円筒形状に丸める。【選択図】図１
2009224965.tif 000002
【特許請求の範囲】
【請求項１】
携帯用電気機器に備えられるアンテナであり、ワイヤを被覆する樹脂パイプで形成されたアンテナ本体の先端部に設けた第一のスリーブと、前記アンテナ本体の基部に設けた第二のスリーブとを備えたアンテナを、前記携帯用電気機器の筐体に固定されているホルダーに係合させ、引き出したときは前記第二のスリーブが前記ホルダーに保持され、収納したときは前記第一のスリーブが前記ホルダーに保持される構造のホイップアンテナであって、
前記ホルダーは、金属性板部材に切欠いて形成された舌片状の接触片を備え、該金属性板部材を円筒形状に丸めて、前記接触片の自由端部を内側方向に反らすことでバネ性を持たせた接触バネを形成し、前記接触バネで前記第二のスリーブを保持し或いは前記第一のスリーブを保持することを特徴とするホイップアンテナ。
【請求項２】
前記接触片は、前記第一のスリーブおよび前記第二のスリーブの軸方向に複数整列状態に形成されたことを特徴とする請求項１に記載のホイップアンテナ。
【発明の詳細な説明】
【技術分野】
【０００１】
本発明は、ホイップアンテナに関し、詳しくはホイップアンテナのセット取り付け部であるホルダーにバネ機能を付加し、一体化することにより、別部品であったホルダーバネを削除することができるホイップアンテナに関する。
【背景技術】
【０００２】
従来、携帯用電気機器である携帯電話機等に採用されているホイップアンテナは、図１０、図１１及び図１２、図１３に示すように、１１はアンテナ、２５は導電体で形成されたホルダー部とから構成されている。
【０００３】
アンテナ１１は、アンテナ本体１２と、このアンテナ本体１２の先端部に結合されたアンテナトップ１３と、アンテナ本体１２の基端部に結合されたストッパーとしての機能を有する第二のスリーブ１４とによって形成されている。
【０００４】
アンテナ本体１２は、チタンニッケル（Ｔｉ―Ｎｉ）撚り線で形成されたワイヤー１５と、このワイヤー１５を被覆する樹脂パイプ１６とで形成されている。
【０００５】
アンテナトップ１３は、樹脂パイプ１６の先端側外周部に固着された導電性の第一のスリーブ１７と、この第一のスリーブ１７にキャップ１８を被せた構成になっている。
【０００６】
ストッパーとして機能する第二のスリーブ１４は、樹脂パイプ１６の後端側に螺着した先端側がテーパ状に形成した円柱状の導体部１９と、この導体部１９の端部に一体に結合した抜止部２１とで形成されている。
【０００７】
ホルダー部２５は、円筒形状に形成され外周にネジ部３９を備えたホルダー３５と、このホルダー３５内に収容して第二のスリーブ１４の導体部１９を摺動自在にガイドするホルダーバネ４１とで形成されている。
【０００８】
ホルダー３５は、図１３、図１４乃至図１６に示すように、金属性部材で円筒形状に形成され、上面に締め付け用の溝３６が形成され、内周側にテーパー透孔３７が形成され、このテーパー透孔３７に連通して拡径に形成されたホルダーバネ収容孔３８を設け、外周側に筐体３２の取付穴に螺合するネジ部３９を備えた構成になっている。
【０００９】
ホルダーバネ４１は、図１３、図１７乃至図２０に示すように、円筒形状に形成された円筒金具４２と、この円筒金具４２の直径方向にスリット４３を設けて円筒内径を縮めてバネ性を持たせた構成になっている。更に、円筒金具４２の中心方向に向かって凹曲面形状に形成した３個の接触バネ片４４を形成する。
【００１０】
このようなホルダーバネ４１は、ホルダー３５のホルダーバネ収容孔３８に円筒内径を縮めた圧縮状態で嵌着されている。そして、図１２に示すように、アンテナ本体１２が収納されているときには、第一のスリーブ１７に接触バネ片４４が弾性接触してこれを保持する。アンテナ本体１２が引き出されているときには、図１１及び図１３に示すように、第二のスリーブ１４の導体部１９に接触バネ片４４が弾性接触して保持する。
【００１１】
【特許文献１】特開２００３−３２０１７号公報
【発明の開示】
【発明が解決しようとする課題】
【００１２】
しかし、従来技術で説明した、ホイップアンテナにおいて、ホルダーは挽物又はダイキャストであるため、部品が高価なものになってしまうという問題がある。
又、ホルダーに別部品のホルダーバネを組み込む必要があり、部品の増加及び組み立てるための作業性の複雑さが存在しているという問題がある。
【００１３】
従って、ホルダーを用いてホイップアンテナの伸長時及び収納時におけるホイップアンテナを保持する構造に解決しなければならない課題を有する。
【課題を解決するための手段】
【００１４】
上記課題を解決するために、本願発明のホイップアンテナは、次に示す構成にしたことである。
【００１５】
（１）ホイップアンテナは、携帯用電気機器に備えられるアンテナであり、ワイヤを被覆する樹脂パイプで形成されたアンテナ本体の先端部に設けた第一のスリーブと、前記アンテナ本体の基部に設けた第二のスリーブとを備えたアンテナを、前記携帯用電気機器の筐体に固定されているホルダーに係合させ、引き出したときは前記第二のスリーブが前記ホルダーに保持され、収納したときは前記第一のスリーブが前記ホルダーに保持される構造のホイップアンテナであって、
前記ホルダーは、金属性板部材に切欠いて形成された舌片状の接触片を備え、該金属性板部材を円筒形状に丸めて、前記接触片の自由端部を内側方向に反らすことでバネ性を持たせた接触バネを形成し、前記接触バネで前記第二のスリーブを保持し或いは前記第一のスリーブを保持することである。
（２）前記接触片は、前記第一のスリーブおよび前記第二のスリーブの軸方向に複数整列状態に形成されたことを特徴とする（１）に記載のホイップアンテナ。
【発明の効果】
【００１６】
本提案によれば、ホイップアンテナのセット取付け部であるホルダーにバネ機能を付加し、且つバネと一体化することにより、別部品であったホルダーバネを削除することができる。
又、ホルダーとホルダーバネを一体化したことにより、従来の構造から部品１点が削除できることにより、その分低価格に寄与し、又、一体化することにより取付部のスリム化を図ることができ省スペース化を図ることができるという効果がある。
【発明を実施するための最良の形態】
【００１７】
次に、本願発明に係るホイップアンテナの実施形態について、図面を参照して以下説明する。尚、従来技術で説明したものと同じものには同一符号を付与して説明する。
【００１８】
本願発明の携帯用電気機器である携帯電話機等に採用されているホイップアンテナは、図１、図２及び図３、図４に示すように、１１はアンテナ、２５は導電体で形成されたホルダー部である。
【００１９】
アンテナ１１は、アンテナ本体１２と、このアンテナ本体１２の先端部に結合されたアンテナトップ１３と、アンテナ本体１２の基端部に結合されたストッパーとして機能する第二のスリーブ１４とによって形成されている。
【００２０】
アンテナ本体１２は、チタンニッケル（Ｔｉ―Ｎｉ）撚り線で形成されたワイヤー１５と、このワイヤー１５を被覆する樹脂パイプ１６とで形成されている。
【００２１】
アンテナトップ１３は、樹脂パイプ１６の先端側外周部に固着された導電性の第一のスリーブ１７と、この第一のスリーブ１７にキャップ１８を被せた構成になっている。
【００２２】
ストッパーとして機能する第二のスリーブ１４は、樹脂パイプ１６の後端側に螺着した先端側がテーパ状に形成した円柱状の導体部１９と、この導体部１９の端部に一体に結合した抜止部２１とで形成されている。
【００２３】
ホルダー部２５は、金属性板部材を円筒形状に形成したホルダー２６に、第二のスリーブ１４の導体部１９を摺動自在にガイドするホルダーバネ機能を一体化したものである。
【００２４】
ホルダー２６は、図４、図５を中心にして図６乃至図９に示すように、四角形状の金属性平板の上部に突出して形成した取付穴片２７の中央部に孔である取付穴２８を備え、四角形状の部位に３辺を切り欠いて舌片状に形成した接触片２９を整列状態に３個備え、端部に楔型の係合片３１を備えた構造となっている。
このような板部材は、それぞれの接触片２９の自由端部を丸める内側方向に反らせ、取付穴片２７を直交する方向に折り曲げ、接触片２９を有する板部材を丸めて楔型の係合片３１を嵌合させることでホルダーとしての機能と共にバネとしての機能を備えたホルダーが完成する。接触片２９の自由端部は面打ちを行ってテーパ状に形成され、やや内側方向に傾斜させて反らされていることで接触バネとしての機能を有する。
この接触片２９は、第一のスリーブ１７及び第二のスリーブ１４の軸方向に３個整列状態に形成され、各々がスリーブの面に弾性接触する。
【００２５】
このような構造のホルダーは、携帯電話機等の筐体３２に取り付けられるもので、取付穴２８を筐体３２の所定の位置に合わせてネジ等で締め付けることでホルダー２６は筐体３２に固定配置される。そして、筐体３２に配置固定されたホルダー２６に対してアンテナ１１を挿通させて取り付ける。そうすると、アンテナ１１を筐体３２から引き出しているときには、図２及び図４に示すように、アンテナ本体１２の基部側の第二のスリーブ１４の導体部１９にホルダー２６の接触片２９が弾性接触してこれを保持する。アンテナ１１を筐体３２に収納しているときには、図３に示すように、アンテナ本体１６の先端部の第一のスリーブ１７にホルダー２６の接触片２９が弾性接触して保持する。
【産業上の利用可能性】
【００２６】
ホイップアンテナのセット取付け部であるホルダーにバネ機能を付加し、且つバネと一体化することにより、別部品であったホルダーバネを削除したホルダーを提供する。
【図面の簡単な説明】
【００２７】
【図１】本願発明に係るホイップアンテナを略示的に示した平面図である。
【図２】同、アンテナを伸長させたときのホルダーで保持する状態を示す説明図である。
【図３】同、アンテナを収納したときのホルダーで保持する状態を示す説明図である。
【図４】同、アンテナを伸長させたときのホルダーとストッパーとの関係の部分拡大図である。
【図５】同、平板形状のホルダーを示した平面図である。
【図６】同、ホルダーの側面図である。
【図７】同、ホルダーの平面図である。
【図８】同、ホルダーの繋ぎ部分を示す側面図である。
【図９】同、ホルダーの接触片の部位を断面して示した断面図である。
【図１０】従来技術におけるホイップアンテナを略示的に示した平面図である。
【図１１】同、アンテナを伸長させたときのホルダーで保持する状態を示す説明図である。
【図１２】同、アンテナを収納したときのホルダーで保持する状態を示す説明図である。
【図１３】同、アンテナを伸長させたときのホルダーとストッパーとの関係の部分拡大図である。
【図１４】同、ホルダーの側面図である。
【図１５】同、ホルダーの平面図である。
【図１６】同、ホルダーの断面図である。
【図１７】同、ホルダーバネの平面図である。
【図１８】同、ホルダーバネの側面図である。
【図１９】同、ホルダーバネの側面図である。
【図２０】同、図１７に示す接触バネ片のＡ−Ａ線断面図である。
【符号の説明】
【００２８】
１１      アンテナ
１２      アンテナ本体
１３      アンテナトップ
１４      第二のスリーブ
１５      ワイヤー
１６      樹脂パイプ
１７      第一のスリーブ
１８      キャップ
１９      導体部
２１      抜止部
２５      ホルダー部
２６      ホルダー
２７      取付穴片
２８      取付穴
２９      接触片
３１      係合片
３２      筐体
【図１】
2009224965.tif 000003
【図２】
2009224965.tif 000004
【図３】
2009224965.tif 000005
【図４】
2009224965.tif 000006
【図５】
2009224965.tif 000007
【図６】
2009224965.tif 000008
【図７】
2009224965.tif 000009
【図８】
2009224965.tif 000010
【図９】
2009224965.tif 000011
【図１０】
2009224965.tif 000012
【図１１】
2009224965.tif 000013
【図１２】
2009224965.tif 000014
【図１３】
2009224965.tif 000015
【図１４】
2009224965.tif 000016
【図１５】
2009224965.tif 000017
【図１６】
2009224965.tif 000018
【図１７】
2009224965.tif 000019
【図１８】
2009224965.tif 000020
【図１９】
2009224965.tif 000021
【図２０】
2009224965.tif 000022